(57)【要約】【課題】手間をかけることなく、継続して人体の上半身を冷やすことができる冷却用衣服を提供すること。【解決手段】冷却用衣服１は、人体の上半身に着用されて、上半身を冷やし、上半身に着用される衣服本体１１と、衣服本体１１に装着され、その幅が、衣服本体１１の幅の半分より小さい寸法で形成された複数の銅板１２と、銅板１２の表面に固定され、Ｕ字形状に形成された銅管１３と、ある銅板１２に固定された銅管１３と、別の銅板１２に固定された銅管１３と、を接続し、柔軟性を有する素材で形成された連結管１４と、銅管１３に流体を流入させるポンプ３１と、流体を冷却する冷却部２０と、ポンプ３１を駆動させる電力を供給する電源３２と、を備える。【選択図】図２
0003186180.tif 000002
【実用新案登録請求の範囲】
【請求項１】
人体の上半身に着用されて、上半身を冷やす冷却用衣服であって、
上半身に着用される衣服本体と、
前記衣服本体に装着され、その幅が、前記衣服本体の幅の半分より小さい寸法で形成された複数の銅板と、
前記銅板の表面に固定され、Ｕ字形状に形成された銅管と、
ある前記銅板に固定された前記銅管と、別の前記銅板に固定された前記銅管と、を接続し、柔軟性を有する素材で形成された連結管と、
前記銅管に流体を流入させるポンプと、
前記流体を冷却する冷却部と、
前記ポンプを駆動させる電力を供給する電源と、を備える冷却用衣服。
【請求項２】
前記冷却部は、前記衣服本体の下端に設けられ、
外気より低い温度を維持する保冷材と、
前記保冷材に接する冷却用銅板と、
前記冷却用銅板の表面に固定され、前記冷却用銅板上を複数回往復する形状に形成された冷却用銅管と、を備え、
前記ポンプは、前記冷却部により冷却された流体を、前記銅管に流入させる請求項１に記載の冷却用衣服。
【考案の詳細な説明】
【技術分野】
【０００１】
本考案は、冷却用衣服に関し、特に、人体に着用されて、人体を冷やす冷却用衣服に関する。
【背景技術】
【０００２】
従来より、気温が高い場所であっても、職業上の理由等により、制服、防護服や着ぐるみ等を脱げない場合がある。このような場合、人体の体温が上昇し、人体に不調をきたす場合があるので、冷却材を用いて人体を冷やす。
【０００３】
このような冷却材を用いて人体を冷やす衣服として、保冷部材を収納するための開閉自在の開口部が設けられた第１収納部及び第２収納部を備え、第１収納部の開口部と第２収納部の開口部が対向するように並置された装着具が提案されている（特許文献１参照）。
この特許文献１の装着具によれば、容易に保冷用具を収納しあるいは取り外すことができる。
【先行技術文献】
【特許文献】
【０００４】
【特許文献１】特開２００９−２８７１４１号公報
【考案の概要】
【考案が解決しようとする課題】
【０００５】
しかしながら、特許文献１に記載されたような交換可能な保冷用具は、使用すると、やがて、人体からの熱により温度が上昇し、冷却効果を奏しなくなる。このような場合、特許文献１に記載の装着具によれば、人体を冷やす部分である、複数の収納部に収納された保冷用具をそれぞれ交換する必要があり、手間がかかっていた。
【０００６】
本考案は、手間をかけることなく、継続して人体の上半身を冷やすことができる冷却用衣服を提供することを目的とする。
【課題を解決するための手段】
【０００７】
（１）  人体の上半身に着用されて、上半身を冷やす冷却用衣服であって、
上半身に着用される衣服本体と、
前記衣服本体に装着され、その幅が、前記衣服本体の幅の半分より小さい寸法で形成された複数の銅板と、
前記銅板の表面に固定され、Ｕ字形状に形成された銅管と、
ある前記銅板に固定された前記銅管と、別の前記銅板に固定された前記銅管と、を接続し、柔軟性を有する素材で形成された連結管と、
前記銅管に流体を流入させるポンプと、
前記流体を冷却する冷却部と、
前記ポンプを駆動させる電力を供給する電源と、を備える冷却用衣服。
【０００８】
（１）の構成によれば、冷却用衣服は、人体の上半身に着用されて、上半身を冷やし、衣服本体と、複数の銅板と、銅管と、連結管と、ポンプと、冷却部と、電源と、を備える。
衣服本体は、上半身に着用される。
複数の銅板は、衣服本体に装着され、その幅が、衣服本体の幅の半分より小さい寸法で形成されている。
銅管は、銅板の表面に固定され、Ｕ字形状に形成されている。
連結管は、ある銅板に固定された銅管と、別の銅板に固定された銅管と、を接続し、柔軟性を有する素材で形成されている。
ポンプは、銅管に流体を流入させる。
冷却部は、流体を冷却する。
電源は、ポンプを駆動させる電力を供給する。
【０００９】
これにより、人体を冷やす部分において、保冷用具の代わりに、銅板を設けたので、人体から発する熱を、銅板により吸収する。そして、銅板は、銅板に固定された銅管を流通する流体により冷却される。また、銅板からの熱を吸収した流体は、冷却部により冷却され、ポンプにより、再び、銅管に流入する。
よって、人体を冷やす部分において、保冷用具を交換することなく、継続して銅板を冷却できる。
したがって、手間をかけることなく、継続して人体の上半身を冷やすことができる冷却用衣服を提供できる。
【００１０】
また、複数の銅板にそれぞれ固定された銅管を、柔軟性を有する素材で形成された連結管で接続した。
これにより、各銅板は、人体の上半身の動作による衣服本体の動きに追随することができる。
よって、着用者の動作を妨げることなく、着用者の上半身を冷やすことができる。
【００１１】
（２）  前記冷却部は、前記衣服本体の下端に設けられ、
外気より低い温度を維持する保冷材と、
前記保冷材に接する冷却用銅板と、
前記冷却用銅板の表面に固定され、前記冷却用銅板上を複数回往復する形状に形成された冷却用銅管と、を備え、
前記ポンプは、前記冷却部により冷却された流体を、前記銅管に流入させる（１）に記載の冷却用衣服。
【００１２】
（２）の構成によれば、冷却部は、衣服本体の下端に設けられ、保冷材と、冷却用銅板と、冷却用銅管と、を備える。
保冷材は、外気より低い温度を維持する。
冷却用銅板は、保冷材に接する。
冷却用銅管は、冷却用銅板の表面に固定され、冷却用銅板上を複数回往復する形状に形成されている。
ポンプは、冷却部により冷却された流体を、銅管に流入させる。
【００１３】
これにより、複数の銅板を冷やし、熱を吸収した流体は、冷却用銅管に流入し、保冷材により冷却された冷却用銅板により冷却されて、ポンプにより、再び、銅管に流入する。
そして、このような構成を備える冷却部は、衣服本体の下端、即ち、着用者の腰回りに設けられている。
ここで、例えば、特許文献１の装着具において、冷却効果を奏しなくなった保冷用具を交換する場合、着用者は、装着具を脱いで、背中部分に収容された保冷用具を交換し、再び、装着具を着用することとなる。
しかしながら、（２）の構成によれば、冷却部は、着用者の腰回りに設けられているので、仮に、保冷材が冷却効果を奏しなくなり交換が必要になったとしても、冷却用衣服を脱ぐことなく、保冷材を効果することができる。
【考案の効果】
【００１４】
本考案によれば、手間をかけることなく、継続して人体の上半身を冷やすことができる冷却用衣服を提供できる。
【図面の簡単な説明】
【００１５】
【図１】本考案の一実施形態に係る冷却用衣服の外観を示す図である。
【図２】前記実施形態に係る冷却用衣服の構成を説明する図である。
【図３】前記実施形態に係る衣服本体に装着された銅板の詳細を示す図である。
【考案を実施するための形態】
【００１６】
本考案の実施形態に係る冷却用衣服１の構成を図面に基づいて説明する。
図１は、本考案の一実施形態に係る冷却用衣服１の外観を示す図である。
図１中、点線は、冷却用衣服１を着用した着用者の人体を示す。
冷却用衣服１は、人体の上半身に着用されて、上半身を冷やす着用部１０と、着用部１０の下端に設けられ、着用部１０の冷却作用を維持する冷却部２０と、着用部１０の下端に設けられ、冷却部２０により冷却された流体を着用部１０に流通させる駆動部３０と、を備える。
図２は、前記実施形態に係る冷却用衣服１の構成を説明する図である。
着用部１０は、着用者に着用される衣服本体１１と、衣服本体１１に装着された複数の銅板１２と、各銅板１２に固定された銅管１３と、ある銅板１２に固定された銅管１３と別の銅板１２に固定された銅管１３とを接続する連結管１４と、を備える。また、着用部１０は、更に、最上位置に配置された銅板１２に固定された銅管１３と駆動部３０とを接続する供給管１５と、最下位置に配置された銅板１２に固定された銅管１３と冷却部２０とを接続する排出管１６と、を備える。
【００１７】
衣服本体１１は、着用者が上半身に着用するベストであり、メッシュ素材で形成されている。なお、本実施形態において、衣服本体１１は、ベストで構成しているが、これに限らず、着用者の背中に当接する部分があれば、例えば、ジャケットやリュック等で構成してもよい。
【００１８】
銅板１２は、衣服本体１１に装着され、その幅が、衣服本体１１の幅の半分より小さい寸法で形成されている。
複数の銅板１２は、図２に示す例では、左側において最上位置に配置された銅板１２１と、右側において銅板１２１より低い位置に配置された銅板１２２と、左側において銅板１２２より低い位置に配置された銅板１２３と、右側において銅板１２３より低い位置に配置された銅板１２４と、左側において銅板１２４より低い位置に配置された銅板１２５と、右側において最下位置に配置された銅板１２６と、を含む。
このように、複数の銅板１２は、衣服本体１１の中心を空け、左右に２列で設けられ、各列に複数枚（例えば、３枚）ずつ配置されている。
【００１９】
銅板１２は、衣服本体１１において、着用者の背中に当接する内側に装着されている。
図３は、前記実施形態に係る衣服本体１１に装着された銅板１２の詳細を示す図である。
図３において表れている面は、着用者の背中に当接する内側の面である。また、図３において、銅管１３を点線で示しているのは、銅管１３が、銅板１２における上記内側の面の反対側の面に固定されていることを示す。
銅板１２には、孔１２ａが形成されている。銅板１２は、紐状体である固定部材１１１が、孔１２ａ及び衣服本体１１のメッシュ孔に挿通され環状に固定されることで、衣服本体１１に固定される。また、銅板１２は、紐状体である固定部材１１１が、銅板１２に固定された銅管１３に巻き回され、衣服本体１１のメッシュ孔に挿通され環状に固定されることで、衣服本体１１に固定される。
【００２０】
このように、衣服本体１１をメッシュ素材で形成し、この衣服本体１１のメッシュ孔に紐状体である固定部材１１１を挿通して、銅板１２を固定することで、衣服本体１１の任意の位置に銅板１２を固定できる。
これにより、着用者の体格に応じた位置に、人体を冷やす銅板１２を配置することができる。
【００２１】
銅管１３は、銅板１２における着用者の背中に当接する内側の面の反対側の表面に固定されている。銅管１３には、冷却部２０により冷却された流体（例えば、水）が、駆動部３０により送り出され、流通する。
図２に戻って、銅管１３は、銅板１２１に固定された銅管１３１と、銅板１２２に固定された銅管１３２と、銅板１２３に固定された銅管１３３と、銅板１２４に固定された銅管１３４と、銅板１２５に固定された銅管１３５と、銅板１２６に固定された銅管１３６と、を含む。
【００２２】
銅管１３１は、下方から右方向に湾曲し左右方向に延びる形状に形成されている。
銅管１３２は、左右方向に延びる上部１３２ａの右端が下方に湾曲し、左右方向に延びる下部１３２ｂに連なることで、Ｕ字を横向きにした形状に形成されている。
銅管１３３は、左右方向に延びる上部１３３ａの左端が下方に湾曲し、左右方向に延びる下部１３３ｂに連なることで、Ｕ字を横向きにした形状に形成されている。
銅管１３４は、左右方向に延びる上部１３４ａの右端が下方に湾曲し、左右方向に延びる下部１３４ｂに連なることで、Ｕ字を横向きにした形状に形成されている。
銅管１３５は、左右方向に延びる上部１３５ａの左端が下方に湾曲し、左右方向に延びる下部１３５ｂに連なることで、Ｕ字を横向きにした形状に形成されている。
銅管１３６は、左右方向に延び、右端が下方に湾曲する形状に形成されている。
【００２３】
銅管１３１と、銅管１３２の上部１３２ａとは、略同じ高さに配置されている。
銅管１３２の下部１３２ｂと、銅管１３３の上部１３３ａとは、略同じ高さに配置されている。
銅管１３３の下部１３３ｂと、銅管１３４の上部１３４ａとは、略同じ高さに配置されている。
銅管１３４の下部１３４ｂと、銅管１３５の上部１３５ａとは、略同じ高さに配置されている。
銅管１３５の下部１３５ｂと、銅管１３６とは、略同じ高さに配置されている。
これにより、銅管１３を流通する流体が、最上位置に配置された銅管１３１から、最下位置に配置された銅管１３６まで、スムーズに流れ落ちるので、銅板１２の冷却効率が向上する。
【００２４】
連結管１４、供給管１５及び排出管１６は、柔軟性を有する素材（例えば、ビニールチューブ）で形成されている。
具体的には、供給管１５は、駆動部３０と、銅管１３１と、を接続する。
連結管１４は、銅管１３１と、銅管１３２の上部１３２ａと、を接続する。また、連結管１４は、銅管１３２の下部１３２ｂと、銅管１３３の上部１３３ａと、を接続する。また、連結管１４は、銅管１３３の下部１３３ｂと、銅管１３４の上部１３４ａと、を接続する。また、連結管１４は、銅管１３４の下部１３４ｂと、銅管１３５の上部１３５ａと、を接続する。また、連結管１４は、銅管１３５の下部１３５ｂと、銅管１３６と、を接続する。
排出管１６は、銅管１３６と、冷却部２０と、を接続する。
【００２５】
冷却部２０は、断熱性能を有する収容体に収容された、タンク２１と、保冷材２２と、冷却用銅板２３と、冷却用銅管２４と、を備える。
タンク２１は、流体（例えば、水）を所定量収容する。タンク２１は、排出管１６が接続され、衣服本体１１を流通し、人体から熱を吸収した流体を一時的に収容する。
【００２６】
保冷材２２は、外気より低い温度を維持する素材で構成され、冷却用銅板２３を直接冷却するとともに、収容体に収容された冷却部２０全体を冷却する。
【００２７】
冷却用銅板２３は、保冷材２２に接するように設けられている。
具体的には、冷却用銅板２３は、上方が開放された箱形状に形成され、その内部に、保冷材２２が収容されている。
【００２８】
冷却用銅管２４は、冷却用銅板２３の表面に固定され、冷却用銅板２３上を複数回往復する形状に形成されている。
冷却用銅管２４は、ビニールチューブを介して、一端がタンク２１に接続され、他端が駆動部３０に接続されている。
【００２９】
駆動部３０は、ポンプ３１と、電源３２と、を備える。
ポンプ３１は、吸入側にビニールチューブを介して冷却用銅管２４が接続され、流出側に供給管１５が接続され、銅管１３に、冷却部２０で冷却された流体を流入させる。
電源は、例えば、電池で構成され、ポンプ３１を駆動させる電力を、ポンプ３１に供給する。
【００３０】
次に、本実施形態に係る冷却用衣服１の動作について説明する。
まず、着用者は、上半身に冷却用衣服１を着用する。これにより、着用者の上半身の熱は、複数の銅板１２（銅板１２１、銅板１２２、銅板１２３、銅板１２４、銅板１２５、銅板１２６）に吸収される。
そして、電源３２からポンプ３１に電力が供給されると、ポンプ３１が駆動し、流体が供給管１５から銅管１３１に流入される。この銅管１３１に流入された流体は、銅板１２１を冷却して、連結管１４を介して、銅管１３２に流入する。この銅管１３２に流入された流体は、銅板１２２を冷却して、連結管１４を介して、銅管１３３に流入する。この銅管１３３に流入された流体は、銅板１２３を冷却して、連結管１４を介して、銅管１３４に流入する。この銅管１３４に流入された流体は、銅板１２４を冷却して、連結管１４を介して、銅管１３５に流入する。この銅管１３５に流入された流体は、銅板１２５を冷却して、連結管１４を介して、銅管１３６に流入する。この銅管１３６に流入された流体は、銅板１２６を冷却して、連結管１４を介して、排出管１６に流入する。排出管１６に流入した流体は、タンク２１に一時的に収容され、冷却用銅管２４に流入する。
そして、冷却用銅管２４に流入した流体は、冷却用銅板２３を介して、保冷材２２に冷却され、ポンプ３１により、再び、供給管１５から銅管１３１に流入される。
【００３１】
よって、人体を冷やす部分において、保冷用具を交換することなく、継続して銅板１２を冷却できる。
したがって、手間をかけることなく、継続して人体の上半身を冷やすことができる。
【００３２】
また、複数の銅板１２にそれぞれ固定された銅管１３を、柔軟性を有する素材で形成された連結管１４で接続した。
これにより、各銅板１２は、人体の上半身の動作による衣服本体１１の動きに追随することができる。
よって、着用者の動作を妨げることなく、着用者の上半身を冷やすことができる。
【００３３】
また、冷却部２０を、衣服本体１１の下端、即ち、着用者の腰回りに設けたので、仮に、保冷材２２が冷却効果を奏しなくなり交換が必要になったとしても、冷却用衣服１を脱ぐことなく、保冷材２２を効果することができる。
【００３４】
なお、本考案は前記実施形態に限定されるものではなく、本考案の目的を達成できる範囲での変形、改良等は本考案に含まれるものである。
【符号の説明】
【００３５】
１    冷却用衣服
１１  衣服本体
１２  銅板
１３  銅管
１４  連結管
３１  ポンプ
２０  冷却部
３２  電源
【図１】
0003186180.tif 000003
【図２】
0003186180.tif 000004
【図３】
0003186180.tif 000005